(57)【要約】    【構成】  携帯電話機（１０）はスピーカ３４を含み、スピーカは携帯電話機の筐体内部でフレーム３０に保持され、固定部材４０によってスピーカを固定することにより、スピーカの背面側から正面側に抑えるように荷重を掛ける。この固定部材には、凹部（４００）が設けられ、この凹部の底面の裏面に設けられる凸部（４００ｂ）がスピーカの背面に設けられる放音孔を塞がないように、スピーカの背面に当たる。また、凹部の側面には複数のスリットが均等に形成される。したがって、スピーカの背面に設けられた放音孔は、凹部によって形成された空間に通じている。この空間によって、十分な背面容積が確保される。    【効果】  スピーカに背面側から荷重をかけても、音響特性の劣化を防止することができる。【選択図】  図３
2013172439.tif 000002
【特許請求の範囲】
【請求項１】
筐体内部に配置されるスピーカと、
前記スピーカを背面から抑えるとともに、当該スピーカを固定する固定部材を備える、電子機器において、
前記固定部材は、前記スピーカの背面に設けられる放音孔と連通するスリットを形成した凹部を備えることを特徴とする、電子機器。
【請求項２】
前記凹部は、前記放音孔を塞がずに前記スピーカの背面に当たる凸部を備える、請求項１記載の電子機器。
【請求項３】
複数の前記スリットが、前記凹部の側面に均等に形成されている、請求項１または２記載の電子機器。
【請求項４】
前記固定部材は、前記筐体内部の空間に通じる通気孔をさらに備える、請求項１ないし３のいずれかに記載の電子機器。
【発明の詳細な説明】
【技術分野】
【０００１】
この発明は電子機器に関し、特にたとえば、スピーカを備える、電子機器に関する。
【背景技術】
【０００２】
この種の電子機器の一例が特許文献１に開示されている。この特許文献１に開示される送受信装置の一例である携帯無線機は、耐水性のあるコーン紙を用いたスピーカを、その全周をシールドすることにより、フロント面の穴から侵入した水が無線機筐体の内部に入ることを防ぐ構造になっている。
【先行技術文献】
【特許文献】
【０００３】
【特許文献１】特開２０００−１７５２７９号［Ｈ０４Ｒ  １／００，  Ｈ０４Ｂ  １／３８］
【発明の概要】
【発明が解決しようとする課題】
【０００４】
しかし、特許文献１の携帯無線機では、スピーカの全周をシールドしているが、フロント面の穴から水が侵入すること（水圧）によって、スピーカを無線機筐体の内部に押し込む力が働く。また、無線機が落下または衝突したり、振動による負荷が生じたりすることにより、シールド部分が外れるように応力が加わる場合がある。防水機能ないし防水効果を確保するためには、たとえば、スピーカを背面側から前面側に抑えるように荷重を掛けて、スピーカを固定する必要がある。しかし、このようにすると、背面側から荷重を掛けるための部材によって、スピーカの背面側の容積が少なくなり、スピーカの音響特性を劣化させてしまう。
【０００５】
それゆえに、この発明の主たる目的は、新規な、電子機器を提供することである。
【０００６】
また、この発明の他の目的は、スピーカに背面側から荷重を掛けても、スピーカの音響特性の劣化を防止することができる、電子機器を提供することである。
【課題を解決するための手段】
【０００７】
本発明は、上記の課題を解決するために、以下の構成を採用した。なお、括弧内の参照符号および補足説明等は、本発明の理解を助けるために後述する実施の形態との対応関係を示したものであって、本発明を何ら限定するものではない。
【０００８】
第１の発明は、筐体内部に配置されるスピーカと、スピーカを背面から抑えるとともに、当該スピーカを固定する固定部材を備える、電子機器において、固定部材は、スピーカの背面に設けられる放音孔と連通するスリットを側面に形成した凹部を設けたことを特徴とする、電子機器である。
【０００９】
第１の発明では、電子機器（１０）は、筐体（１２）内部に配置されるスピーカ（３４）を備える。固定部材（４０）は、スピーカを背面から抑えるとともに、当該スピーカを固定する。この固定部材は、スピーカの背面に設けられる放音孔（３４ａ、３４ｂ）と連通するスリット（４００ｂ）を側面に形成した凹部（４００）を備える。したがって、凹部によって形成される空間がスピーカの背面容積として確保される。
【００１０】
第１の発明によれば、スピーカを背面から抑える固定部材に凹部を設け、この凹部にスリットを設けることにより、凹部と放音孔を連通させるので、スピーカを背面から抑えても、十分な背面容積を確保することにより、音響特性の劣化を防止することができる。
【００１１】
第２の発明は、第１の発明に従属し、凹部は、放音孔を塞がずにスピーカの背面に当たる凸部を備える。
【００１２】
第２の発明では、凹部は、たとえば、その底面の裏面に凸部（４００ｄ）が設けられる。この凸部は、放音孔を塞がずにスピーカの背面に当たるように形成される。
【００１３】
第２の発明によれば、凸部を設けるだけで、スリットが形成された凹部と放音孔を容易に連通させることができる。また、凸部は放音孔を塞がないように形成するので、放音孔からの空気振動の伝達を妨げずに、スピーカを背面から抑えることができる。
【００１４】
第３の発明は、第１または第２の発明に従属し、複数のスリットが、凹部の側面に均等に形成されている。
【００１５】
第３の発明では、固定部材においては、複数のスリットが凹部の側面に均等に形成されている。この場合、凹部の側面の一部に偏ってスリットが形成された場合よりも、音圧レベルが高い。
【００１６】
第３の発明によれば、複数のスリットが凹部の側面に均等に形成されるので、音圧レベルが高く、より良い音響特性を得ることができる。
【００１７】
第４の発明は、第１ないし第３の発明のいずれかに従属し、固定部材は、筐体内部の空間に通じる通気孔をさらに備える。
【００１８】
第４の発明では、固定部材は、筐体内部の空間に通じる通気孔（４００ｅ）がさらに備える。このため、当該空間が凹部によって形成された空間と連通される。よって、より十分な背面容積が確保される。
【００１９】
第４の発明によれば、より良い音響特性を得ることにより、音質を向上させることができる。
【発明の効果】
【００２０】
この発明によれば、スピーカに背面側から荷重を掛けても、スピーカの音響特性の劣化を防止することができる。
【００２１】
この発明の上述の目的，その他の目的，特徴および利点は、図面を参照して行う以下の実施例の詳細な説明から一層明らかとなろう。
【図面の簡単な説明】
【００２２】
【図１】図１はこの発明の一実施例の携帯電話機の外観構成を示す図である。
【図２】図２は図１に示す携帯電話機の筐体内部に設けられるフレーム等を示す図である。
【図３】図３は図２に示すフレームへのスピーカの取り付け構造を説明するための分解図である。
【図４】図４は図２および図３に示す固定部材を説明するための図である。
【図５】図５は固定部材に設けられるスリットの配置および固定部材へのクッション材の貼り付け位置を説明するための図である。
【図６】図６はスリットが無い場合とスリットの形成の仕方の異なる場合についてのスピーカ特性を示すグラフである。
【図７】図７は凹部の側面の一部にスリットを形成する場合の当該スリットを形成する部分を説明するための図である。
【図８】図８はスピーカの背面に設けられる放音孔と固定部材に設けられる凸部の位置関係を示す図である。
【図９】図９は図２（Ｂ）に示すIX−IX断面図である。
【発明を実施するための形態】
【００２３】
図１を参照して、この実施例の電子機器としての携帯電話機１０は、筐体１２を含み、筐体１２には、その一方主面から表示画面を露出するように、ＬＣＤのようなディスプレイ１４が設けられる。また、筐体１２には、ディスプレイ１４の上側に、筐体１２の内部に設けられるレシーバから出力される音を放出するための放音孔１２ａが設けられる。さらに、筐体１２には、ディスプレイ１４の下側に、ダイヤルキー、機能キー、メニューキーなどを含むキー入力スイッチ１６が設けられる。また、筐体１２には、キー入力スイッチ１６の下側に、筐体１２の内部に設けられる２つのスピーカ３４（図２（Ａ）および図３参照）から出力される音を放出するための複数の放音孔１２ｂが左右に分けて設けられる。この実施例では、左右のそれぞれに、８個の放音孔１２ｂが設けられる。そして、左右に設けられる複数の放音孔１２ｂの間には、筐体１２の内部に設けられるマイク３８（図２（Ａ）参照）に音声を入力するための孔１２ｃが設けられる。たとえば、スピーカ３４は、いわゆるハンズフリーで通話する場合に用いられ、モノラルの音声を出力する。
【００２４】
筐体１２の内部には、図２（Ａ）および図２（Ｂ）に示すようなフレーム３０が設けられる。図２（Ａ）に示すように、フレーム３０の表面であり、その上部にはディスプレイ１４が取り付けられる。また、フレーム３０の表面であり、ディスプレイ１４の下側には、キー入力スイッチ１６のためのプリント基板３２が取り付けられる。プリント基板３２には、各キーの操作を検出するための電極およびその操作信号（キーデータ）をプロセッサに入力するための配線が設けられるとともに、マイク３８も実装されている。２つのスピーカ３４は、フレーム３０の裏面側で保持され、その前面の一部がフレーム３０の下部に設けられる孔３０ａを通して見える。この孔３０ａは、図１に示した放音孔１２ｂに通じている。
【００２５】
図２（Ｂ）に示すように、フレーム３０の裏面の下部には、固定部材４０が３つのねじ４２によってフレーム３０に固定されている。図示は省略するが、フレーム３０の裏面であり、固定部材４０の上側には、プロセッサやメモリ（ＲＯＭ、ＲＡＭ）などの回路コンポーネントを実装したプリント基板（以下、「回路基板」と言う。）が取り付けられる。また、筐体１２の内部には、図示等しない他の部品が設けられるが、当該他の部品は本願発明の本質的な内容とは関係ないため、図示および説明については省略することにする。したがって、図面においては、フレーム３０の裏面に回路基板や他の部品を取り付けるための機構についても省略してある。
【００２６】
図３は、スピーカ３４をフレーム３０に取り付ける構造を説明するための図である。この図３に示すように、フレーム３０の裏面には、２つのスピーカ３４のそれぞれを保持ないし収容するための２つの収容部３００が形成される。収容部３００は、スピーカ３４の前面の一部（周縁部すなわち放音孔が設けられていない外周部分）と当接するストッパ３００ａ、スピーカ３４の側面（外周面）と対面する（当接する）内周面３００ｂおよびスピーカ３４の前面から音を放出するための繰り抜き部３００ｃによって構成される。
【００２７】
スピーカ３４は、その前面の一部が収容部３００のストッパ３００ａに当接するように、収容部３００に嵌められる。つまり、スピーカ３４は、収容部３００で保持される。たとえば、携帯電話機１０は防水機能を有するため、スピーカ３４は接着性を有する防水用テープ材を用いて収容部３００に固定される。
【００２８】
さらに、スピーカ３４の背面側からクッション材３６を挟んで固定部材４０がフレーム３０に取り付けられる。このとき、ねじ４２がフレーム３０に設けられたねじ穴３０ｂに螺合され、スピーカ３４が背面側から正面側に抑えられる。つまり、スピーカ３４の背面側から荷重が加えられる。クッション材３６は、ゴムやスポンジ等で形成され、スピーカ３４や固定部材４０の寸法誤差を吸収するために用いられる。これは、固定部材４０によって、スピーカ３４を背面側から前面側に確実に抑えるためである。
【００２９】
このように、スピーカ３４を背面側から荷重を加えるようにするのは、スピーカ３４の正面側からの水圧により、または、携帯電話機１０の落下、衝撃または振動により、スピーカ３４が収容部３００（フレーム３０）から離脱し、筐体１２内部に水が流入するのを防止するためである。
【００３０】
図４（Ａ）は固定部材４０を斜め上方から見た図であり、図４（Ｂ）は固定部材４０を斜め下方から見た図である。図４（Ａ）に示すように、固定部材４０には、２つの凹部４００が設けられる。また、ねじ４２の軸を通すための３つの孔４０２が設けられる。図４（Ｂ）に示すように、凹部４００の底面４００ａの裏面４００ｃ（反対側）には、所定の形状を有する凸部４００ｄが設けられる。
【００３１】
凹部４００は、図２（Ｂ）に示したように、固定部材４０がフレーム３０に取り付けられた場合に、その底面４００ａの裏面４００ｃ（反対側）でスピーカ３４に荷重を加える。また、凹部４００によってスピーカ３４の背面側に空間が形成されると、スピーカ３４の背面に現れる逆位相の空気振動による音が消去され、スピーカ３４の前面に現れる正位相の空気振動による音だけが聞こえる。ただし、凹部４００によって形成される空間（容積）の大きさ（背面容積）は、スピーカ３４の性能に応じて決定され、この実施例では、十分な背面容積が確保されている。
【００３２】
なお、上述したように、フレーム３０は、筐体１２の内部に設けられるため、固定部材４０の凹部４００によって空間が形成されるのである。
【００３３】
たとえば、スピーカ３４の背面容積がその性能に対して必要な容積よりも小さい場合には、密閉された筐体１２内部において、空気がダンパー（ばね）のような働きをして、スピーカ３４の振動板の振動を抑制してしまう。その結果、音響特性が劣化し、音質が低下する。
【００３４】
このような不都合を回避するため、凹部４００とスピーカ３４の背面に設けられる放音孔３４ａ、３４ｂ（図８参照）を連通することにより、スピーカ３４の背面容積を確保してある。この実施例では、凹部４００の側面（側壁）に、複数（この実施例では、１０個）のスリット４００ｂが均等に形成される。具体的には、図５（Ａ）に示すように、凹部４００の中心から放射状に直線を引いた場合に、隣接する２つのスリット４００ｂが形成される角度（中心角）が、凹部４００の側面の全周に渡って、それぞれ同じまたはほぼ同じにされる。ただし、スリット４００ｂの幅の中心を当該スリット４００ｂの位置としてある。このように、スリット４００ｂを均等に設けるのは、音響特性をより良くするためである。
【００３５】
図６（Ａ）および図６（Ｂ）には、スリットが無い場合とスリットの形成の仕方の異なる場合についてのスピーカ特性（定格入力）のグラフが示される。ただし、図６（Ｂ）は、図６（Ａ）の一部を拡大したものである。図６（Ａ）および図６（Ｂ）において、横軸は音声（音）の周波数（Ｈｚ）を示し、縦軸は音圧レベル（ｄＢｓｐｌ）を示す。この図６（Ａ）および図６（Ｂ）では、各周波数において、スピーカ３４に定格（０．５Ｗ）入力した場合の音圧レベルが示される。
【００３６】
ただし、「スリット無し」とは、凹部４００にスリット４００ｂを形成しない場合を意味する。また、「一部にスリット」とは、図７に示すように、凹部４００において、点線で囲んだ部分（凹部４００の長手方向の両端部）にだけスリット４００ｂを形成した場合を意味する。さらに、「均等にスリット」とは、図５（Ａ）を用いて説明したように、凹部４００に複数のスリット４００ｂを均等に形成した場合を意味する。
【００３７】
図６（Ａ）のグラフは、可聴周波数帯域を含む帯域についての音圧レベルの変化を示す。この図６（Ａ）のグラフから、約２００Ｈｚから約１０００Ｈｚの間では、ほとんどの周波数において、複数のスリット４００ｂを均等に形成した場合の音圧レベルが高いことが分かる。つまり、複数のスリット４００ｂを均等に形成した場合の音響特性が最良である。また、９００Ｈｚ以下では、スリット４００ｂを形成しない場合よりも、スリット４００ａを一部にでも形成した方が音響特性が良好である。
【００３８】
さらに、図６（Ｂ）のグラフに示すように、通話音声で重要と考えられる１０００Ｈｚ以下について着目すると、４００Ｈｚにおいては、複数のスリット４００ｂを均等に設けた場合の音圧レベルは、スリット４００ｂを形成していない場合よりも、約２ｄＢｓｐｌ大きい。したがって、この実施例では、複数のスリット４００ｂを均等に形成するようにしているのである。
【００３９】
なお、この実施例では、各スリット４００ｂの長さおよび幅（大きさ）は同じにしてあるが、均等に形成されていれば、同じ長さや幅で形成する必要はない。
【００４０】
図４（Ｂ）に戻って、上述したように、凹部４００と放音孔３４ａ、３４ｂを連通するため、凹部４００の底面４００ａの裏面４００ｃ（反対側）には、凸部４００ｄが設けられる。これは、スピーカ３４の背面に設けられる放音孔３４ａ、３４ｂを塞がないで、スピーカ３４を背面から抑えるためである。つまり、固定部材４０がフレーム３０に取り付けられると、凸部４００ｄがスピーカ３４の背面に当接するのである。
【００４１】
また、図５（Ｂ）に示すように、上述したクッション材３６は、凹部４００の底面４００ａの裏面４００ｃであり、凸部４００ｄが設けられていない２つの領域４０００、４００２のうちの大きい方の領域４０００に貼り付けられる。
【００４２】
図８（Ａ）に示すように、スピーカ３４の背面には、その中央に放音孔３４ａが設けられるとともに、両サイドに３つずつ放音孔３４ｂが並んで設けられる。ただし、放音孔３４ａおよび放音孔３４ｂは、ネットで覆われている。
【００４３】
図９は、図２（Ｂ）のＩＸ−ＩＸ断面図である。図９に示すように、スピーカ３４の背面側に、スリット４００ｂを形成した凹部４００が配置される。この実施例のスピーカ３４は、放音孔３４ａが設けられる中央部の方が放音孔３４ｂが設けられる外周部よりも厚みが大きい。このため、中央部と外周部によって段差が形成されている。また、図９からも分かるように、凹部４００の底面４００ａないし裏面４００ｃの大きさは、スピーカ３４の背面の中央部の大きさとほぼ同じである。
【００４４】
したがって、凹部４００の底面４００ａの裏面４００ｃに凸部４００ｄを設けない場合には、この裏面４００ｃは、スピーカ３４の背面の中央部に当たるが、外周部には当たらない。このため、図４（Ｂ）に示すような形状の凸部４００ｄを形成して、放音孔３４ａを塞がないようにしてある。つまり、放音孔３４ａからの空気振動の伝達の妨げにならないようにしてある。
【００４５】
このため、固定部材４０がフレーム３０に取り付けられても、図８（Ｂ）に示すように、スピーカ３４の背面側では、点線で示す凸部４００ｄは、放音孔３４ａと重ならずに、当該放音孔３４ａが設けられる中央部に当たる。よって、図８（Ｂ）の白抜き矢印で示すように、放音孔３４ａおよび放音孔３４ｂからの空気振動は、凸部４００ｄによって誘導され、スピーカ３４の横方向（側面方向）に伝わる。さらに、その空気振動は、スリット４００ｂを介して凹部４００に伝わる。
【００４６】
図４（Ｂ）に戻って、固定部材４００には、その天面（図１に示す携帯電話機１０の上側の側面）には、２つの通気孔４００ｅが設けられる。この通気孔４００ｅは、フレーム３０と固定部材４０によって形成された空間を、回路基板側の空間に連通するために形成される。つまり、回路基板側の空間もスピーカ３４の背面容積の一部として確保される。したがって、上述した放音孔３４ａおよび放音孔３４ｂからの空気振動は、通気孔４００ｅを介して、その回路基板側にも伝わる。このため、より良い音響特性を得ることができ、音質が向上する。たとえば、通気孔４００ｅを設けない場合の背面容積は約４ｃｃであるのに対し、通気孔４００ｅを設けた場合の背面容積は約７ｃｃである。
【００４７】
この実施例によれば、スピーカを背面側から前面側に抑えるとともに、スピーカの背面に放出される空気を移動させるための空間を作る凹部を有する固定部材を設けるので、スピーカに背面側からの荷重を掛けても、スピーカの音響特性の劣化を防止することができる。
【００４８】
また、この実施例では、凹部の側面に複数のスリットを均等に設けるので、凹部の側面の一部に偏ってスリットを設ける場合によりも、改善された音響特性を得ることができる。
【００４９】
さらに、この実施例では、凹部の底面の裏面に、放音孔を塞がないように、凸部を設けるだけなので、スリットが形成された凹部とスピーカの背面に設けられた放音孔を容易に連通させることができる。
【００５０】
なお、この実施例で示した凸部の形状は一例であり、この限定されるべきでない。この実施例で示したスピーカを用いる場合には、背面の中央に設けられた放音孔が凸部によって塞がれないように形成すれば、他の任意の形状を採用し得る。つまり、凸部の形状は、スピーカの背面に設けられる放音孔の位置やスピーカの厚み（背面の高低）によって適宜変更されるべきである。
【００５１】
また、この実施例では、固定部材に通気孔を設けることにより、回路基板側の空間も背面容積として利用するようにしたが、通気孔を設けなくても、固定部材の凹部によって形成された空間を利用するだけで十分な音響効果を得ることができる。
【００５２】
さらにまた、この実施例で示した具体的な数値は単なる一例であり、限定されるべきでなく、製品の仕様等によって適宜変更されるべきである。
【符号の説明】
【００５３】
１０  …携帯電話機（電子機器）
１２  …筐体
１４  …ディスプレイ
１６  …キー入力スイッチ
３０  …フレーム
３２  …プリント基板
３４  …スピーカ
３６  …クッション材
４０  …固定部材
４００  …凹部
４００ｂ  …スリット
４００ｄ  …凸部
４００ｄ  …通気孔
【図１】
2013172439.tif 000003
【図２】
2013172439.tif 000004
【図３】
2013172439.tif 000005
【図４】
2013172439.tif 000006
【図５】
2013172439.tif 000007
【図６】
2013172439.tif 000008
【図７】
2013172439.tif 000009
【図８】
2013172439.tif 000010
【図９】
2013172439.tif 000011